(57)【要約】【課題】簡易に、安価に設置できる水門を提供する。【解決手段】水路２０の両側に植立された二つの受け部４ａを有する固定基礎４と、この受け部の一方を回動支点として回動する浮上水門５とからなり、受け部４ａは高水位側に向かう支持面を持ち、浮上水門５は二つの受け面に支持される長さを持ち、内部が空洞の浮体で形成され、前記浮上水門５は水路２０の開放状態では水路に浮上しており、水路を閉止する際はこの浮上水門５を前記回動支点を支点として回動させ、二つの受け部の近傍に接近あるいは接触させた状態でバラスト水を充填して沈降させるように構成した。【選択図】            図１
2004263469.tif 000002
【特許請求の範囲】
【請求項１】
水路の両側に植立された二つの受け部を有する固定基礎と、この受け部の一方を回動支点として回動する浮上水門とからなり、前記受け部は高水位側に向かう支持面を持ち、前記浮上水門は前記二つの受け面に支持される長さを持ち、内部が空洞の浮体で形成され、
前記浮上水門は水路の開放状態では水路に浮上しており、水路を閉止する際はこの浮上水門を前記回動支点を支点として回動させ、前記二つの受け部の近傍に接近あるいは接触させた状態で沈降させるように構成した簡易水門。
【請求項２】
前記浮上水門は、鋼板製で中空の浮体であり、その内部に水を充填して沈降させるように構成したことを特徴とする請求項１記載の簡易水門。
【請求項３】
前記浮上水門は、水門開放時には一方の水路壁に沿って浮上係留索されており、水門閉止時に船で曳航あるいは索条によって固定壁体まで回動させるように構成したことを特徴とする請求項１記載の簡易水門。
【請求項４】
水路の両側に植立された二つの受け部は、断面Ｌ型に形成されて水門閉止状態で浮上水門の両端を受け止めるように構成されていることを特徴とする請求項１記載の簡易水門。
【発明の詳細な説明】
【０００１】
【発明の属する技術分野】
本発明は、河川、港等に簡単な工事で、安価に設置できる水門に関する。
【０００２】
【従来の技術】
河川や港湾には、台風や風の強い日のように波浪が高くなるが、このような日には河川の河口付近や港湾内が高潮の影響で水面が上昇して付近の建造物や係留設備に影響を与えることが多い。このような高潮時の影響を防止するために河川の河口部や港湾の船舶の出入口に防潮水門が設けられている。この防潮水門は、河川の放水口や港湾の船舶が出入口の水路の両側と水底部にわたって断面がコ字形をしたコンクリート製の固定基礎などを形成し、この開口部を閉鎖したり開放したりする水門を設けている。
【０００３】
しかし、この水門は大規模な機械設備を使用したもので、開口部の全長にわたって自重で沈降する扉体を配置し、これを大型の巻上装置で巻上げたり、自重で沈降させたりするものである。従って、これの建造には地盤の整備から固定水門と扉体の昇降装置の製作、そしてこれの据付け工事等が必要であり、そのために長期間にわたる工事と高い建造費を必要とする欠点があった。
【０００４】
また、貯油プラットホーム等の貯蔵庫を兼ねたコンクリート製の浮体を使用した重力着底式の構造物が提案されている（例えば、特許文献１参照）。
【０００５】
【特許文献１】
特開昭５９−４４４７３号公報
【０００６】
【発明が解決すべき課題】
大規模な機械設備を使用した一般の水門の場合、これを建造するのに河口や港湾の地盤の整備から固定基礎及び扉体の昇降装置の製作、そして据付け工事が必要であり、そのために長期にわたる工事と、その上、高い建造費を必要とする欠点があった。
【０００７】
また、特許文献１に記載された発明は、重力着底式のコンクリート製の構造物ないし大型の着底式タンクを提案するだけであって、河口付近や港湾設備の開口部を閉鎖して高潮の影響を回避したり、大きく開放して船舶の出入りや放水を容易にする防潮水門などに適用できる構造物を提案するものではない。
【０００８】
本発明は、前記従来技術の欠点である水門の建造工期が長く、しかも建造費用が高い点を一挙に解消できる簡易水門を提供するものである。
【０００９】
【課題を解決するための手段】
前記目的を達成するための本発明に係る簡易水門は、次のように構成されている。
【００１０】
１）水路の両側に植立された二つの受け部を有する固定基礎と、この受け部の一方を回動支点として回動する浮上水門とからなり、前記受け部は高水位側に向かう支持面を持ち、前記浮上水門は前記二つの受け下に支持される長さを持ち、内部が空洞の浮体で形成され、前記浮上水門は水路の開放状態では水路に浮上しており、水路を閉止する際はこの浮上水門を前記回動支点を支点として回動させ、前記二つの受け部の近傍に接近あるいは接触させた状態で沈降させるように構成したことを特徴としている。
【００１１】
２）前記浮上水門は、鋼板製で中空の浮体であり、その内部に水を充填して沈降させるように構成したことを特徴としている。
【００１２】
３）前記浮上水門は、水門開放時には一方の水路壁に沿って浮上係留されており、水門閉止時に船で曳航あるいは索条によって固定壁体まで回動させるように構成したことを特徴としている。
【００１３】
４）水路の両側に植立された二つの受け部は、断面Ｌ型に形成されて水門閉止状態で水圧を受ける浮上水門の両端を受け止めるように構成されていることを特徴としている。
【００１４】
本発明は、浮上水門を鋼板製の中空の浮体で構成し、通常時はこの浮上水門を河川の流水や港湾の船舶の出入りの邪魔にならない位置に浮上させておいて、高潮になる前にこの浮体を回動させて固定基礎の両側の受け部に支持させ、高水位側の水圧を受けるように構成されている。
【００１５】
この浮上水門は、鋼板で製作された浮体であるので、工場で切断や溶接などの加工を行ない、現地で組立てるプレハブ工法を簡単に実施することができるものである。また、これは大型構造物であるので、必要な機器の収容庫や作業者などの休憩室として利用することも可能である。
【００１６】
【発明の実施の形態】
図１は、本発明に係る簡易水門の平面図、図２は同正断面図である。
【００１７】
本発明に係る簡易水門１は、水路２０の両側の堤体２，３と、これら堤体２，３の一部に形成されたコンクリート製の固定基礎４と、この固定基礎４に対して回動して開閉する浮上水門５で構成されている。
【００１８】
前記固定基礎４は、平面的にＬ形に形成され、水路２０の高水位側に向かう受け面を持つ受け部４ａと、この受け部４ａの間を連結する連結部４ｂが図２に示すようにコ字形に形成されている。なお、水路２０の両側の堤体２，３は河川の土手や港湾の堤防等であり、これは既設の構造物であっても良いし、新たに整備されたものであっても良い。また、堤体２、３の間の水面ＨＷＬ側が高水位になる水路２０である。
【００１９】
前記浮上水門５は、鋼板製の箱型の浮体であり、例えば、固定基礎４の開口部の幅Ｌ（水路の幅）が例えば３９ｍあるとすると、これに使用される浮上水門５の長さＭは１ｍ長い４０ｍで、その幅Ｂは４．５ｍ、そして高さＨは８．５ｍの中空体である。この浮上水門５は水門の閉止位置においてバラスト水の充填により沈降させるものであるので、回動支点の近傍に注排水ポンプを配置したり、この浮上水門５の内部の機械室内に注・排水ポンプを設置したり、場合によってはこれを曳航する漁船側にこのポンプを搭載しておいても良い。
【００２０】
また、前記固定基礎４の近傍には、浮上水門５の閉止状態においてその位置を規制するように杭７ａ、７ｂが設けられている。この杭７ａは浮上水門５を係留する場合にも使用するもので、図４に示すようにこの浮上水門５と杭７ａとの間を係留索８で係留して流出しないようにしておく。
【００２１】
また、堤体２の近傍に設けられた杭７ｃは、水面が低水位ＬＷＬであってこの浮上水門５を係留する際に使用するもので、浮上水門５と杭７ｃとの間は固定金具９ａ、９ｂ（あるいはチエーンであっても良い）で連結されている。なお、上方の固定金具９ａは常時水面上に位置しているので堤体の上方から簡単に操作して解錠できるが、水面下にある連結金具９ｂは適当なレバーや紐などを連結して水面上から開口操作できるようにしておく。
【００２２】
図３は水面が低水位ＬＷＬの状態において堤体２に沿って係留している状態を示しており、杭７ｃはこの浮上水門５の移動端に位置してこの浮上水門５の位置決めをしている。
【００２３】
また、図４は図１及び図２に示すように高潮時の高水位ＨＷＬの場合に、浮上水門５を固定基礎４の位置まで移動させて沈降させて水門を閉止した状態を示している。１１は浮上水門５と受け部４ａとの間に配置された防舷材であり、また、この浮上水門５の下面と受け部４ａの上面との間にも断面丸形の防舷材１２が設けられており、簡易水門１を閉止した状態では受け部４ａと浮上水門５との間は防舷材１１と１２を介して水圧を受けることになる。
【００２４】
通常の低水位ＬＷＬの場合は、図１に点線で示す位置に、浮上水門５が図３に示すように係留されており、河川の場合は流水（水の流れは図１の矢印の反対側）の邪魔にならず、また、港湾の場合は船舶の出入りの邪魔にならないような位置にある。
【００２５】
そして高潮発生前の水門の閉止が必要な時には、杭７ｃに掛けてあった固定金具９ａ、９ｂあるいはチエーンを外す。そして漁船やボートで浮上水門５を矢印Ｆのように旋回させ、図１に実線で示す閉扉位置に到達したならば、図示しない吃水面下に設置されている弁の開放、あるいはポンプを操作してこの浮上水門５にバラスト水を注水して図１及び図２のように沈設して簡易水門１を閉止する。このような操作により、浮上水門５を沈降・着底させて固定基礎４の所定位置に合体させて水門１を閉止した状態では、浮上水門５は２つの防舷材１１、１２を介して固定基礎４の受け部４ａと連結部４ｂで重量を受止められて高潮側に発生する高水位ＨＷＬと、逆方向の低水位側ＬＷＬ側とが遮断される。
【００２６】
このように簡易水門１を浮上水門５を沈設させて閉止することによって高水位ＨＷＬの際の被害の発生を未然に防止する。また、この高水位ＨＷＬが低下して安全な状態となった場合には、浮上水門５内に充填されていたバラスト水をポンプで排水して浮上させ、漁船やボートで曳航したり、索条によって引っ張って図１の実線の状態から点線の状態に移動させる。そして所定の係留位置で固定金具９ａ、９ｂやチエンーンで係留しておく。
【００２７】
浮上水門５に注入されたバラスト水を排水するポンプは、この浮上水門５の空洞内に設けられた操作室内に設けるのが良いが、この浮上水門５の回動支点の近傍に設けたポンプ室に設置したり、場合によっては漁船やボートに搭載されているポンプを利用して行うことも可能である。なお、このバラスト水の排水にはかなりの時間を必要とするので、水門の開放時期を考慮しながら排水ポンプを操作する必要がある。
【００２８】
【発明の効果】
本発明に係る簡易水門１は、水路２０の両側に植立された二つの受け部４ａを有する固定基礎４と、この受け部４ａの一方を回動支点として回動する浮上水門５とからなり、前記受け部４ａは高水位側ＨＷＬに支持面を持ち、前記浮上水門５は前記二つの受け部４ａに支持可能な長さを持ち、内部が空洞の浮体で形成されている。
【００２９】
そして前記浮上水門５は水路２０の開放状態では水路２０（閉鎖域の脇の保管域）に浮べておく。この水路２０を閉止する必要がある時には、この浮上水門５を前記回動支点を支点として回動させ、前記二つの受け部４ａの近傍の閉鎖域に接近あるいは接触させた状態でバラスト注水して沈降させる。そして開門時には浮上水門５の内部のバラスト水をポンプで排水して再浮上させ、再度船で曳航などによって回動させ、保管域に戻して保管する。
【００３０】
本発明によれば、簡易水門１は固定基礎４と浮上水門５で構成されているので従来の装置のように大規模な機械設備を必要としない。
【００３１】
土木工事や水門の設置工事を極めて簡単に行うことができるので、従来の水門に比較して設置費用が大幅に安価になる。
【００３２】
自然の地形を大きく変形することがないので、如何なる地形の場所にも簡単に設置することができる。
【図面の簡単な説明】
【図１】本発明に係る簡易水門の平面図である。
【図２】図１の正面図である。
【図３】浮上水門の浮遊状態を示す図である。
【図４】浮上水門の閉止状態を示すもので、図１におけるＸ−Ｘ断面図である。
【符号の簡単な説明】
１  簡易水門      ２，３  堤体      ４  固定基礎      ４ａ  受け部
４ｂ  連結部      ５  浮上水門      ７ａ，７ｂ，７ｃ  杭
９  連結金具      １１，１２  防舷材
【図１】
2004263469.tif 000003
【図２】
2004263469.tif 000004
【図３】
2004263469.tif 000005
【図４】
2004263469.tif 000006